(57)【要約】【課題】本発明は、車載音響システムや民生音響システムなどに用いられるスピーカに関して、小型でかつ臨場感の高いスピーカを提供することを目的とする。【解決手段】磁気回路３と、電気信号を印加することにより磁気回路３と反応して駆動されるボイスコイル２と、このボイスコイル２の駆動により振動する振動板１とを備え、ボイスコイル２で消費される電気信号のエネルギーをボイスコイル２の駆動エネルギーとボイスコイル２の発光エネルギーとして活用してボイスコイル２を発光源とした構成とした。【選択図】図１
2006340158.tif 000002
【特許請求の範囲】
【請求項１】
磁気回路と、電気信号を印加することにより前記磁気回路と反応して駆動されるボイスコイルと、このボイスコイルの駆動により振動する振動板とを備え、前記ボイスコイルにおいて消費される前記電気信号のエネルギーを前記ボイスコイルの駆動エネルギーと前記ボイスコイルの発光エネルギーとして活用し、前記ボイスコイルを発光源として用いたことを特徴とするスピーカ。
【請求項２】
振動板を透光性部材により構成したことを特徴とする請求項１に記載のスピーカ。
【請求項３】
振動板を箱体状に形成し、ボイスコイルを前記振動板の内部に配置するとともに、この振動板の内部を真空を含む低酸素状態としたことを特徴とする請求項２に記載のスピーカ。
【請求項４】
振動板を箱体状に形成し、ボイスコイルを前記振動板の内部に配置するとともに、この振動板の内部に不活性ガスを充填した請求項２に記載のスピーカ。
【発明の詳細な説明】
【技術分野】
【０００１】
本発明は車載音響システムや民生音響システムなどに用いられるスピーカに関する。
【背景技術】
【０００２】
スピーカの発音に連動しスピーカを部分的に発光させることにより、音響システムにおける聴覚的な臨場感に加え、視覚的な臨場感を付加することでより臨場感を向上させる手法が用いられている。
【０００３】
そして、この手法を実現するにあたっては、音響システムにおいてスピーカに別途発光体ユニットを設けていた。
【０００４】
なお、この出願の発明に関連する先行技術文献情報としては、例えば、特許文献１が知られている。
【特許文献１】特開２００４−７３０８号公報
【発明の開示】
【発明が解決しようとする課題】
【０００５】
しかしながら、音響システムにおいて部品の小型・軽量化が進められる中、ダイオードなどの発光体やその発光を制御する制御システムなどからなる発光ユニットをスピーカに付け加えるスペースを現実的に確保することが困難な状況となってきている。
【０００６】
そこで、本発明はこのような問題を解決し、小型でかつ臨場感の高いスピーカを提供することを目的とする。
【課題を解決するための手段】
【０００７】
この目的を達成するために本発明は、スピーカを構成するボイスコイルで消費される電気信号のエネルギーをボイスコイルの駆動エネルギーとボイスコイルの発光エネルギーとして活用してボイスコイルを発光源とした構成としたのである。
【発明の効果】
【０００８】
この構成により、発光体の発光を制御する制御回路を別途設ける必要がなく、より臨場感が高い音響システムに適合するスピーカの小型・軽量化を図ることができるものである。
【発明を実施するための最良の形態】
【０００９】
以下、本発明の一実施形態について図を用いて説明する。
【００１０】
図１はスピーカの断面構造を示したものであり、その基本構成は発音体となる振動板１と、この振動板１に一体に設けられたボイスコイル２と、このボイスコイル２を駆動させるための磁気回路３と、これらを一体化するフレーム４により構成されている。
【００１１】
磁気回路３は、上部プレート５とヨーク６との間にマグネット７を配置した構成であり、ヨーク６の延出部分と上部プレート５間に磁気ギャップ８が形成され、この磁気ギャップ８に対応して配設されたボイスコイル２に発音用の電気信号を入力することで磁気ギャップ８に生じる磁束によりボイスコイル２が上下方向に駆動し、このボイスコイル２の駆動に連動して振動板１が振動することでスピーカが発音する構造となっている。
【００１２】
また、ボイスコイル２は振動板１の内部に配置されたものでありその始端と終端は振動板１の外部に引き出されリード線９を介してターミナル１０に接続されている。
【００１３】
そして、このスピーカにおいてはボイスコイル２に流れる電気信号のエネルギーを先に述べたボイスコイル２の駆動エネルギーとして活用するとともに、ボイスコイル２に寄生する抵抗成分により消費されるエネルギーを発光エネルギーとして活用し、ボイスコイル２自体を発光させこのスピーカの発光源としている。
【００１４】
すなわち、従来、スピーカに視覚的臨場感を付加するために設けられていたダイオードなどの発光体やその発光を制御する制御システム等からなる発光ユニットを設ける必要がなくなり、視覚的臨場感が付加された臨場感の高いスピーカを小型で軽量なものとできるのである。
【００１５】
つまり、電気信号を発光させるエネルギーは振動板１を駆動させる電気信号の一部を利用するものであることから、その音圧レベルに応じた電力が付与されるものであり、この電力量に発光エネルギーが比例するのでボイスコイル２の発光量が必然的に音圧レベルに対応するようになり、ダイオードなどの発光源やその発光量を制御する制御システムなどが不要となることから、小型で臨場感のあるスピーカを提供できるのである。
【００１６】
また、ボイスコイル２を発光源として使用するにおいては、ボイスコイル２がスピーカの磁気回路３側、つまりスピーカ内部に設けられているため、発光させたい部位、例えばフレーム４外周部や振動板１をアクリルなどの透光性部材にて形成すれば良く、この図１に示されるように振動板１が内部空間を有する箱体状に形状されその内部にボイスコイル２を配置するような構成においては、ボイスコイル２が振動板１内に密封された状態となり、この密封空間を形成する振動板１の内部に不活性ガスを充填しておくことで、ボイスコイル２の温度上昇に伴うコイル材の活性化が抑制され、活性化されたコイル部材がケース内面に付着することが抑制され、スピーカからの発光量の低下を抑制できるとともに、コイル材の飛散に伴う線径の細りが抑制されるため、スピーカの音圧レベルの経時的変化をも抑制することができるのである。
【００１７】
また、振動板１内部を真空を含む低酸素状態あるいは不燃性ガスを充填した状態とすれば、コイルの温度上昇による発火現象が抑制され、これによるボイスコイル２の溶断が抑制されるとともに、発火による急激な温度上昇が抑制されることによりボイスコイル２の抵抗値変動も併せて抑制でき、これに伴うスピーカの音圧レベルの経時的変化をも抑制することができるのである。
【００１８】
なお、上述した一実施形態においては図１に示すスピーカを例に挙げて説明したが、本発明はこの図１に示すスピーカ構造に限定されるものではなく、スピーカの構成として磁気回路３とこれに応じて駆動するボイスコイル２を有する構成であれば、ボイスコイル２で消費される電気信号のエネルギーをボイスコイル２の駆動エネルギーと発光エネルギーに活用してボイスコイル２を発光源として併用することができ、より臨場感が高い音響システムに適合するスピーカの小型・軽量化を図ることができるものである。
【産業上の利用可能性】
【００１９】
本発明にかかるスピーカは、車載音響システムや民生音響システムなどに用いられるスピーカに関してより臨場感のある小型で軽量なスピーカを提供できるという効果を有し、特に小型で臨場感が追求されるオーディオ機器や携帯電話や車載スピーカに有用である。
【図面の簡単な説明】
【００２０】
【図１】本発明の一実施形態におけるスピーカを示す断面図
【符号の説明】
【００２１】
１  振動板
２  ボイスコイル
３  磁気回路
【図１】
2006340158.tif 000003